(57)【特許請求の範囲】
【請求項１】
被写体側に対して露出動作の開始を露出動作開始表示ランプの点灯で表示する機能を備えたカメラにおいて、
撮影レンズと、
前記撮影レンズの光軸方向の位置に応じたパルスを発生するパルス発生回路と、
被写体距離情報に基づき、前記撮影レンズを合焦位置に移動させるためのフォーカシング用目標パルス数を演算するパルス演算手段と、
前記撮影レンズのフォーカシングを行う基準となるＡＦ基準コードを読み取り、該ＡＦ基準コードを読込んだ時点から前記フォーカシング用目標パルス数に対応する距離だけ前記撮影レンズを駆動してフォーカシングを行うフォーカシング手段と、
前記ＡＦ基準コードを読込んだ後に前記パルス発生回路が出力するパルス数をカウントし、このＡＦ基準コード読込後カウントパルス数が前記フォーカシング用目標パルス数から予め定めた設定パルス数を差引いた合焦開始パルス数に達した時点を前記撮影レンズの合焦開始時点として検出し、前記ＡＦ基準コード読込後カウントパルス数が前記フォーカシング用目標パルス数に達した時点を前記撮影レンズの合焦終了時点として検出する合焦動作検出手段と、
前記合焦動作検出手段が検出した前記撮影レンズの合焦開始時点から合焦終了時点までの間、前記露出動作開始表示ランプを継続して点灯させる表示手段と、
を有することを特徴とするカメラ。
【請求項２】
請求項１記載のカメラにおいて、
前記露出動作開始表示ランプは、シャッターが切れることを表示するセルフランプで兼用したことを特徴とするカメラ。
【発明の詳細な説明】
【技術分野】
本発明は、被写体側に露出動作の開始を表示する機能を備えたカメラに関するものである。
【０００１】
【従来技術及びその問題点】
カメラには、シャッターレリーズボタンの半押し状態で被写体までの被写体距離を測距して、シャッターレリーズボタンを完全に押切ったときにレンズのピントを合焦してシャッタを開き自動的に露出調整を行い、露出調整後にシャッタを閉じて撮影を終了させるオートフォーカス機能を備えたカメラが在る。
【０００２】
この種のカメラは、シャッターレリーズボタンを押してから撮影終了までの一連の撮影動作が自動で行われるため、被写体である人物に、何時シャッターが切られて写真撮影が行われるかを知らせる必要がある。そのため、この種のカメラでは、カメラボデイの前面に取付けたランプを点灯させて、被写体側に写真撮影が行われる時期を表示しており、被写体の人物は前記ランプの点灯を目視することにより写真撮影の時期を確認することができる。
【０００３】
ところで、従来例に係る前記カメラでは、露出開始用の表示ランプを点灯する時期は、シャッターレリーズボタンを完全に押切ったとき、すなわちレンズの合焦を開始する時点に設定している。そして、前記露出開始用の表示ランプを消灯する時期は、前記測距による被写体距離データに基づいてレンズの合焦を開始してＡＦ基準コードを読込んだ時点に設定している。このことは、従来例に係る前記カメラにおいて、レンズの合焦開始時点からシャッターが閉じて写真撮影が終了する期間中では前記露出開始用の表示ランプが消灯されていることを意味する。
【０００４】
従来例に係る前記カメラにおいて、露出開始用の表示ランプを点灯する時期を、レンズの合焦を開始する時点に設定し、前記露出開始用の表示ランプを消灯する時期は、前記測距による被写体距離データに基いてレンズピントの合焦を開始してＡＦ基準コードを読み込んだ時点に設定したとしても、標準レンズのようにオートフォーカス時でのレンズ繰出量が極めて少ないものでは、特に問題とならないものである。
【０００５】
一方、ズームレンズは標準レンズ（ワイド）から望遠レンズ（テレ）までの範囲をカバーするようになっており、ワイドとテレとではレンズの繰出し量に差異が生じる。
【０００６】
すなわち、レンズの繰出し量が大きいと、レンズの合焦開始時点から合焦終了までの時間が掛かるにも拘らず、この期間中に露出開始の表示ランプが消灯しているために被写体である人物は露出が調整されて写真撮影が終了したものと誤認識して撮影のポーズを崩してしまい、撮影者が意図した露出との間にズレが生じてしまうばかりでなく、崩れたポーズでの写真撮影をしてしまうという問題があった。
【０００７】
【発明の目的】
本発明の目的は、撮影者が意図した露出との間にズレが生じるのを防止すると共に、意図したポーズでの写真撮影を行うことが可能なカメラを得ることを目的とする。
【０００８】
【発明の概要】
前記目的を達成するため、本発明に係るカメラは、被写体側に対して露出動作の開始を露出動作開始表示ランプの点灯で表示する機能を備えたカメラにおいて、撮影レンズと、前記撮影レンズの光軸方向の位置に応じたパルスを発生するパルス発生回路と、被写体距離情報に基づき、前記撮影レンズを合焦位置に移動させるためのフォーカシング用目標パルス数を演算するパルス演算手段と、前記撮影レンズのフォーカシングを行う基準となるＡＦ基準コードを読み取り、該ＡＦ基準コードを読込んだ時点から前記フォーカシング用目標パルス数に対応する距離だけ前記撮影レンズを駆動してフォーカシングを行うフォーカシング手段と、前記ＡＦ基準コードを読込んだ後に前記パルス発生回路が出力するパルス数をカウントし、このＡＦ基準コード読込後カウントパルス数が前記フォーカシング用目標パルス数から予め定めた設定パルス数を差引いた合焦開始パルス数に達した時点を前記撮影レンズの合焦開始時点として検出し、前記ＡＦ基準コード読込後カウントパルス数が前記フォーカシング用目標パルス数に達した時点を前記撮影レンズの合焦終了時点として検出する合焦動作検出手段と、前記合焦動作検出手段が検出した前記撮影レンズの合焦開始時点から合焦終了時点までの間、前記露出動作開始表示ランプを継続して点灯させる表示手段と、を有することを特徴としている。なお、前記露出動作開始表示ランプは、シャッターが切れることを表示するセルフランプで兼用してもよい。
【００１５】
【発明の実施の形態】
以下、本発明の実施の形態を図示例と共に説明する。
【００１６】
図１は、本発明の実施形態に係るカメラを示す回路ブロック図、図２（ａ）は図１に示すカメラのカメラボデイを示す正面図、図２（ｂ）は図１に示すカメラのカメラボデイを示す平面図、図２（ｃ）は図１に示すカメラのカメラボデイを示す背面図である。
【００１７】
図１及び図２に示すカメラは、被写体側に対して露出動作の開始をランプ点灯で表示する機能を備えたカメラであり、図１に示すようにカメラの撮影処理を司るＣＰＵ１は電源２から電力供給を受けて駆動するものであり、ＣＰＵ１には、ストロボ回路３、フイルム給送回路４、ズームレンズ駆動回路５、パルス発生回路６、シャッター駆動回路７、測光回路８、測距回路９、ＬＣＤパネル１０が接続され、ＣＰＵ１とこれらの回路との間で各種信号の授受が行われる。またＣＰＵ１には、電源スイッチ１１、裏蓋スイッチ１２、巻戻しスイッチ１３、モードスイッチ１４、ドライブスイッチ１５、テレスイッチ１６、ワイドスイッチ１７、測光スイッチ１８、レリーズスイッチ１９等の各種スイッチが接続され、これらのスイッチから外部信号が入力される。またＣＰＵ１には、ＤＸコード信号検出部２０、ズームコード信号検出部２１、フィルム給送信号検出部２２が接続されている。またＣＰＵ１には、赤ランプ２３、緑ランプ２４、セルフランプ２５が接続され、ＣＰＵ１の指令を受けて、点灯、消灯の制御が行われる。
【００１８】
ストロボ回路３は、電源２から電力供給を受けてＣＰＵ１の制御の下に後述するストロボ発光部３２を発光させる。ストロボ発光部３２の発光はＣＰＵ１の制御の下に赤ランプ２３が点灯して表示される。
【００１９】
フイルム給送回路４は、ＣＰＵ１の制御の下にフィルムモータ４ａを正転させフイルム給送がなされ、フイルム給送信号がパーフォレーションの検出により入力されることによりフィルムの駒送りを行う。またフイルム給送回路４は、巻戻しスイッチ１３からフィルムの巻戻し指令がＣＰＵ１に入力した場合にＣＰＵ１の制御の下にフィルムモータ４ａを逆転させ、フィルムのパトローネへの巻戻しを行う。またフィルムをカメラボデイ２６に装填すると、ＤＸコード信号検出部２０によりＤＸコード信号が入力され、パトローネに付されたフィルム感度、撮影枚数、露出域等の撮影に必要なデータがＣＰＵ１に入力される。
【００２０】
ズームレンズ駆動回路５は、一方のテレスイッチ１６がＯＮした状態でＣＰＵ１の制御の下に長焦点側にズームモータ５ａを駆動して撮影レンズをテレ側にレンズ駆動し、他方のワイドスイッチ１７がＯＮした状態でＣＰＵ１の制御の下に短焦点側にズームモータ５ａを駆動して撮影レンズをワイド側にレンズ駆動する。またズームコード信号検出部２１からの信号がＣＰＵ１に入力すると、ＣＰＵ１はズームコード信号の入力によりレンズ位置（焦点距離）を把握する。
【００２１】
また撮影レンズ２７は可動レンズと固定レンズとの組合せから構成され、可動レンズが固定レンズに対して相対移動されることにより合焦動作（オートフォーカシング）が行われ、レンズのピント合せが行われる。ズームレンズ駆動回路５によるＡＦ制御は、被写体までの距離データが必要であり、その距離データは測距回路９により測距され、その測距データがＣＰＵ１に入力され、ＣＰＵ１は入力された測距データに基づいてオートフォーカシングの制御指令をズームレンズ駆動回路５に出力する。ズームレンズ駆動回路５はレリーズスイッチ１９からの信号が入力すると、レンズの合焦制御を行う。
【００２２】
またズームレンズ駆動回路５によるＡＦ制御の際には、パルス発生回路６からパルスが撮影レンズ２７の移動に対応して出力され、ＣＰＵ１は、撮影レンズ２７のフォーカシングを行う基準となるＡＦ基準コードを読み取り、該ＡＦ基準コードを読込んだ時点からパルス発生回路６が出力する所定パルスだけ前記撮影レンズをフォーカシング駆動してフォーカシングを行う指令をズームレンズ駆動回路５に出力するものであり、ズームレンズ駆動回路５は前記ＣＰＵ１の指令に基いて上述した撮影レンズをフォーカシング駆動する。撮影レンズの合焦はＣＰＵ１の制御の下に緑ランプ２４が点灯して表示される。
【００２３】
露出処理を行う際に測光回路８は、被写体の輝度を測光し、その測光データをＣＰＵ１に入力する。ＣＰＵ１は測光回路８からの測光データに基づいて露出演算を行い、シャッター駆動回路７に制御指令を出力する。シャッター駆動回路７は、ＣＰＵ１の制御の下にシャッターモータ７ａを駆動してシャッターを開閉制御する。またレリーズボタン３３に連動する測光スイッチ１８の半押し状態で図２の測光センサ２９による測光が行われ、パッシブＡＦセンサユニット３１で測距が行われ、レリーズボタン３３の全押しでシャッターを開いて露光を行う。
【００２４】
通常撮影モード時にレリーズスイッチ１９をＯＮしてシャッターが開き露光が開始される時期は、セルフランプ２５を点灯させて被写体側に表示される。セルフランプ２５は、セルフ撮影モード時の表示も行う。
【００２５】
また電源スイッチ１１はＣＰＵ１及び上述した各種の回路への電力の断続を行う。裏蓋スイッチ１２は、フィルムの装填等の際にカメラボデイ２６の裏蓋を開閉する動作に連動して動作し、裏蓋の開閉状態をＣＰＵ１に入力する。モードスイッチ１４は、写真撮影方式、ＡＥ方式等の撮影処理のモードを切替えるものであり、モードスイッチ１４で設定される動作モードの下でＣＰＵ１による撮影処理が行われる。ドライブスイッチ１５はＣＰＵ１の駆動を切替える。レリーズボタン３３の半押し状態（測光スイッチ１８がＯＮ）で測光、測距などの露出の準備が行われ、全押し状態（レリーズスイッチ１９がＯＮ）でシャッターが切れる動作を行う設定になっている。またＬＣＤパネル１０には、各種スイッチによる動作状態が表示される。
【００２６】
図２（ａ）はカメラボデイ２６を示す正面図、図２（ｂ）はカメラボデイ２６を示す平面図、図２（ｃ）はカメラボデイ２６を示す背面図である。図２（ａ）に示すように、カメラボデイ２６の前面には撮影レンズ２７、セルフランプ２５、測光センサ２９、ファインダ３０、ストロボ発光部３２、パッシブＡＦセンサユニット３１が取付けられている。また図２（ｂ）に示すように、カメラボデイ２６の上面には、ＬＣＤパネル１０、レリーズボタン３３が設けられ、レリーズボタン３３が測光スイッチ１８、レリーズスイッチ１９に連動している。また図２（ｃ）に示すように、カメラボデイ２６の背面には、ファインダ３０の周囲に緑ランプ２４、赤ランプ２３、ズームボタン３４が設けられ、ズームボタン３４をテレ側に切替えるとテレスイッチ１６に連動し、ワイド側に切替えるとワイドスイッチ１７に連動する。
【００２７】
ズームレンズ駆動回路５で制御されるズームモータ５ａが回転すると、撮影レンズ２７がズームモータ５ａの回転方向に対応する光軸方向に沿って移動し、図４に示すようにズームモータ５ａの回転に連動してパルス発生回路６からパルス（ＡＦＰ）が発生され、パルス発生回路６から出力されるパルスは、フォーカシング制御用のＡＦパルスとして利用される。ここに、パルス発生回路６は、撮影レンズ２７のフォーカシング用パルスを出力するパルス発生手段を構成する。
【００２８】
ズームコード信号検出部２１は図３に示すズームエンコーダを備えており、該ズームエンコーダは図３に示すようにレンズ待機コードとグランドコードとＡＦ基準コードとを有しており、ズームコード信号検出部２１の信号に基いてＣＰＵ１から出力される指令によりズームレンズ駆動回路５は動作する。
【００２９】
前記ズームエンコーダに設けたレンズ待機コードは図３に示すように、ワイド側で撮影レンズ２７が機械的に移動不可能となる限界位置に設けた収納コード３５ａと、テレ側で撮影レンズ２７が機械的に移動不可能となる限界位置に設けた停止コード３５ｆとを撮影レンズ２７の移動ストローク両端に配置しており、その両端に配置した収納コード３５ａと停止コード３５ｆとの間に、ワイド側の待機位置に設けたワイド待機コード３５ｂと、テレ側の待機位置に設けたテレ待機コード３５ｅとが設けられ、さらにワイド待機コード３５ｂとテレ待機コード３５ｅとの間の中間位置に２つの中間待機位置コード３５ｃ、３５ｄがそれぞれ設けられている。
【００３０】
さらに前記ズームエンコーダに設けたＡＦ基準コードは図３に示すように、レンズ待機コードの収納コード３５ａに対応させて設けたＡＦ停止コード３６ａと、ワイド側（短焦点側）でのフォーカシング制御の基準となるワイドＡＦ基準コード３６ｂと、テレ側（長焦点側）でのフォーカシング制御の基準となるテレＡＦ基準コード３６ｅとが設けられ、ワイドＡＦ基準コード３６ｂとテレＡＦ基準コード３６ｅとの間には、ワイドとテレとの間でのフォーカシング制御の基準となる中間ＡＦ基準コード３６ｃ、３６ｄとがそれぞれ設けられている。
【００３１】
ＣＰＵ１は、各ＡＦ基準コード３６ｂ〜３６ｅを基準として撮影レンズ２７の合焦を行う（フォーカシング駆動する）ために、レリーズボタン３３が半押しされた状態で行われる測距で目標パルスを算出しておく。ＣＰＵ１は、テレスイッチ１６がＯＮの場合にはズームモータ５ａを回転させて撮影レンズ２７を現在の待機位置からテレ側に移動させ、ズームレンズ駆動回路５がテレ待機コード３５ｅを検出したテレ待機位置で停止し、焦点調節はズームモータ５ａで撮影レンズ２７を移動させテレＡＦ基準コード３６ｅを検出した時点を基準として、パルス発生回路６から出力されるパルスが前記目標パルスに達するまでカウントし、そのカウント値が前記目標パルスに達した時点で撮影レンズ２７を停止する。この状態でテレ側での撮影レンズ２７の焦点調整（レンズの合焦）が完了する。
【００３２】
ＣＰＵ１は、テレ側での撮影が終了した時点で撮影レンズ２７をテレ待機位置に戻すためにズームモータ５ａを回転させて撮影レンズ２７のテレ待機位置側への移動を開始させ、レンズが停止していた位置を基準として、パルス発生回路６から出力されるパルスをカウントし、そのカウント値が前記目標パルス数に達した際にズームモータ５ａを停止する。この状態でレンズリターン処理が完了する。
【００３３】
ＣＰＵ１は、ワイドスイッチ１７がＯＮの場合にはズームモータ５ａを逆転させて撮影レンズ２７を現在の待機位置からワイド側に移動させ、ズームレンズ駆動回路５がワイド待機コード３５ｂを検出したワイド待機位置に停止し、焦点調節はズームモータ５ａで撮影レンズ２７を移動させ、ワイドＡＦ基準コード３６ｂを検出した時点を基準として、パルス発生回路６から出力されるパルスの個数が目標パルスの数に達するまでカウントし、そのカウント値が目標パルスに達した時点で撮影レンズ２７を停止する。この状態でワイド側での撮影レンズ２７の焦点調整（レンズの合焦）が完了する。
【００３４】
ＣＰＵ１は、ワイド側での撮影が終了した時点で撮影レンズ２７をワイド待機位置に戻すためにズームモータ５ａで撮影レンズ２７のワイド待機位置側への移動を開始させ、レンズが停止していた位置を基準として、パルス発生回路６から出力されるパルスをカウントし、そのカウント値が前記目標パルス数に達した際にズームモータ５ａを停止する。この状態でレンズリターン処理が完了する。
【００３５】
またＣＰＵ１が行う２つの中間位置での撮影レンズ２７の焦点調節及びレンズリターン処理についても上述した動作と同様に進められる。そして写真撮影が終了し、撮影レンズ２７を格納する場合には、ＣＰＵ１はズームモータ５ａで撮影レンズ２７を収納コード３５ａ側に移動させ、その収納コード３５ａとＡＦ基準コード３６ａを同時に検出した時点でズームモータ５ａを停止する。したがって、撮影レンズ２７は収納位置に格納される。
【００３６】
上述したように、ＣＰＵ１とズームレンズ駆動回路５とズームモータ５ａ等は、撮影レンズ２７のフォーカシングを行う基準となるＡＦ基準コード３６ｂ〜３６ｅを読み取り、パルス発生回路（パルス発生手段）６が出力する所定パルスだけ前記レンズをフォーカシング駆動してフォーカシングを行うフォーカシング手段を構成する。
【００３７】
図１に示す実施形態では、撮影レンズ２７の合焦動作の開始を検出する合焦動作検出手段は、ＣＰＵ１とズームレンズ駆動回路５とズームモータ５ａとパルス発生回路６等から構成しており、図１に示す合焦動作検出手段は、前記フォーカシング手段が撮影レンズ２７をフォーカシング駆動するために設定した目標パルス（図４参照）から設定パルス（図４のＸに相当する）を差引いた露出開始パルス（図４の目標パルスーＸに相当する）に前記所定パルスが達した時点を撮影レンズの合焦開始時点として検出する構成として構築している。なお、前記合焦動作検出手段は、前記フォーカシング手段が前記基準コードを読み取った時点を撮影レンズの合焦開始時点として検出するようにしてもよいものである。
【００３８】
さらに図１に示す実施形態では、前記撮影終了検出手段は、前記フォーカシング手段が撮影レンズ２７をフォーカシング駆動するために設定した目標パルス（図４参照）に達したことを検出してランプ消灯信号を出力する構成としている。
【００３９】
次に、図１及び図２に示す実施形態に係るカメラの撮影処理を図６及び図７に基いて説明する。図６に示す撮影処理は測光スイッチ１８がオンされたときに実行される。先ず、測光処理を実行して測光値を求める（ステップＳ１）。測光処理では、測光センサ２９から出力された測光信号に基いて撮影領域全体の測光値を求める。
【００４０】
続いて測距処理を実行する（ステップＳ２）。測距処理では、パッシブＡＦユニット３１は、図示しない測距センサから出力されたビデオ信号に基づいて測距演算する。ＣＰＵ１は、パッシブＡＦユニット３１が演算処理して求めた測距値から目標パルス（図４参照）を算出しておく。
【００４１】
測距処理を実行したら、測距エラーフラグがセットされているか否かをチェックする（ステップＳ３）。測距エラーフラグは測距処理で適正な測距値が得られなかったときにセットされる。測距エラーフラグがセットされているときは、緑ランプ２４を点滅して測距エラーを報知し（ステップＳ４）、ＡＥ演算処理（ステップＳ６）を実行して適正シャッタ速度及び絞り値を設定する。測距エラーフラグがセットされていないときは、緑ランプ２４を点灯し（ステップＳ５）、ＡＥ演算処理を実行する（ステップＳ６）。次に逆光判定処理を行う（ステップＳ７）。
【００４２】
ＡＥ演算処理及び逆光判定処理を実行した後、測光スイッチ１８がオンしているか否かをチェックする（ステップＳ８）。測光スイッチ１８がオンしていないときは、緑ランプ２４を消灯し（ステップＳ９）、撮影処理を終了する（ステップＳ１０）。
【００４３】
測光スイッチ１８がオンしているときは、レリーズスイッチ１９がオンしているか否かをチェックする（ステップＳ１１）。レリーズスイッチ１９がオンしていないときは、ステップＳ８に戻り、レリーズ指令待機状態となる。
【００４４】
レリーズスイッチ１９がオンしているときは、緑ランプ２４及び赤ランプ２３を消灯し（ステップＳ１２）、逆光発光であるか（ステップＳ１３）、ストロボ発光が必要であるか（ステップＳ１４）を判定する。これらの処理が必要である場合にはストロボ発光に伴うＦＭ演算処理（ステップＳ１５）を行う。
【００４５】
ＦＭ演算処理（ステップＳ１５）が必要でない場合には、前記算出した適正絞り値及びシャッタ速度に基いてシャッター駆動回路７でシャッターモータ７ａを駆動してシャッターを開閉制御して露出制御処理を実行する（ステップＳ１６）。
【００４６】
露出終了後は、フィルム給送回路４でフィルム給送モータ４ａを作動させてフィルムを１駒分巻き上げるが、その１駒分巻き上げられなかった場合は、フィルムをすべて巻戻してリターンする（ステップＳ１７）。
【００４７】
次に露出制御処理の詳細について図７を用いて説明する。図７（ａ）は、各レンズ待機位置からレンズを移動して焦点を調節して合焦を行い、露出してレンズを再びレンズ待機位置に移動させる、露出制御処理からレンズリターン処理に至る一連の処理を示す図である。図７（ｂ）はレンズドライブ処理を詳細に示すものであり、図７（ｃ）はＡＦＰドライブ処理の詳細を示すものであり、図７（ｄ）は図７（ａ）のレンズリターン処理の詳細を示す図である。
【００４８】
図６における露出制御処理（ステップＳ１６  図７（ａ）に示す露出制御処理）に進むと、この露出制御処理では、先ず図７（ｂ）に詳細を示すレンズドライブ処理（ステップＳ３０−１）が行われる。
【００４９】
図７（ｂ）に示すレンズドライブ処理に進むと、先ず図４に示すようにズームレンズ駆動回路５でズームモータ５ａを正転させる（ステップＳ１８）。ズームモータ５ａが正転すると、撮影レンズ２７が各レンズ待機位置からそれに対応したＡＦ基準コード方向に移動する状態をズームレンズ駆動回路５のズームエンコーダ（図３参照）で検出するとともに、ズームモータ５ａの回転に連動してパルス発生回路６からパルスが出力される。
【００５０】
ＣＰＵ１は、撮影レンズ２７がＡＦ基準コードに達したかどうかを検出する（ステップＳ１９）。
【００５１】
ＣＰＵ１がＡＦ基準コードを検出した場合には、ＣＰＵ１はＡＦ基準コードの検出時点からパルス発生回路６が発生するパルスをカウントする。この場合、ＣＰＵ１は、測距処理（ステップＳ２）で演算処理された測距値に相当する目標パルス（図４参照）を設定する（ステップ２０）。そして、ＡＦＰドライブ処理で、ＡＦ基準コードを検出した時点からパルス発生回路６が発生するパルスをカウントし、そのパルスのカウント数が前記目標パルスに達成したか否かを監視する（ステップＳ２０−１）。
【００５２】
図７（ｃ）に詳細を示すＡＦＰドライブ処理は、図４に示すように、パルス発生回路６から発生するパルスが前記目標パルスよりＸパルスを差引いたセルフランプ２５を表示させるためのパルス（図４の目標パルス−Ｘに相当する）に達したときにセルフランプ２５を点灯して露出開始を表示するように予めＸパルスを設定してある。このＸパルスの個数は適宜設定され、ＣＰＵ１のメモリに製造時に記憶させておく。
【００５３】
図７（ｃ）に示すＡＦＰドライブ処理では先ず、パルスカウンタのカウント数を零に設定する（ステップＳ２１）。そして、パルス発生回路６からパルスが発生したか否かを監視し（ステップＳ２２、Ｓ２３）、パルス発生回路６からパルスが発生する毎に前記カウント数を＋１ずつカウントアップする（ステップＳ２４）。
【００５４】
セルフランプ２５を点灯する前で前記カウント数がセルランプ２５の点灯用パルス（目標パルス−Ｘ）に達しないときにはカウントを継続する（ステップＳ２５；ＮＯ、Ｓ２７、Ｓ２９、２３、２４）。
【００５５】
ステップＳ２４でのカウント数が、セルフランプ２５の点灯表示による露出開始を表示するために設定したセルランプ２５の点灯用パルス（目標パルス−Ｘ）に達したときに（ステップＳ２５）、セルランプ２５を点灯して露出開始をランプ表示する（ステップＳ２６）。
【００５６】
さらに撮影レンズ２７の駆動が継続されて、パルス発生回路６から発生するパルスが目標パルス（図４参照）に達したときに（ステップＳ２７；Ｙ）、ズームレンズ駆動回路５でズームモータ５ａを停止させる（ステップＳ２８）。なお、パルス発生回路６から発生するパルスが目標パルスに達しないときに、ズームレンズ駆動回路５でズームモータ５ａを継続駆動し、撮影レンズ２７を目的位置まで移動させる（ステップＳ２９）。
【００５７】
ステップＳ２４でのカウント数がセルランプ２５の点灯用パルス（目標パルス−Ｘ）を越えて（ステップＳ２５：ＮＯ）、前記カウント数が前記目標パルスに達したときに、図１に示す実施形態に用いた露出表示終了検出手段は、前記フォーカシング手段が撮影レンズ２７をフォーカシング駆動するために設定した目標パルス（図４参照）達したことを検出してランプ消灯信号を出力する。ＣＰＵ１は前記ランプ消灯信号に基づいてセルフランプ２５を消灯する（ステップＳ３０）。
【００５８】
撮影レンズ２７が合焦位置に停止すると、シャター駆動回路７でシャターモータ７ａが駆動されてシャッターが開き、前記絞り値とシャッター速度とにより露出が行われる（図７（ａ）のステップＳ３１）。
【００５９】
次に図７（ｄ）に示すように、前記のようにレンズの合焦をして露出が完了して撮影が終了すると、撮影レンズ２７をレンズ待機位置まで引き戻すレンズリターン処理が行われる。この処理に入ると先ず、図５に示すように、ズームモータ駆動回路５でズームモータ５ａを逆転させ（ステップＳ３２）、ＡＦ基準コードを検出するまで撮影レンズ２７の移動を継続移動させる（ステップＳ３３）。
【００６０】
ＡＦ基準コードを検出した後、次にレンズ待機コードを検出する（ステップＳ３４）。このレンズ待機コードを検出した時点で撮影レンズ２７の移動を停止する（ステップＳ３５）。
【００６１】
図８及び図９は、本発明の他の実施形態に係るカメラにおける撮影終了検出手段を示す図である。この実施形態では、撮影完了までを被写体に表示するようにしたもので、図７の実施形態での露光終了後に行われるレンズリターン処理の所定のタイミングでセルフランプ２５の点灯表示をＯＦＦにする。
【００６２】
この実施形態では、ＣＰＵ（露出表示終了検出手段）１は、レンズを待機位置まで移動させるレンズリターン手段が撮影レンズ２７をレンズ待機位置３５ｂ〜３５ｅまで駆動するためにパルスを０からカウントして、カウント値が露出されるために設定された目標パルスに達した時点をレンズリターン完了として検出する。
【００６３】
この実施形態でセルフランプ２５を点灯して露出開始を表示する処理は図６および図７の実施形態と略同様な流れで行われるため、その説明を省略する。また図７（ａ）に示すセルフランプＯＦＦ（ステップ３０）の処理は図９に示すレンズリターン処理中に行われるため、削除されたフローチャ−トとなる。
【００６４】
図８及び図９に示すように、撮影レンズ２７をレンズ待機位置まで引き戻す処理が行われる。この処理は、レンズの合焦をして露出完了後に開始される。この処理に入ると先ず、図８に示すように、ズームモータ駆動回路５でズームモータ５ａを逆転させ（ステップＳ３２´）、撮影レンズ２７の後退開始時にパルスカウンタのカウント数を零に設定する（ステップ２１´）。そして、パルス発生回路６からパルスが発生したか否かを監視し（ステップ２２´、２３´）、パルス発生回路６からパルスが発生する毎に前記カウント数を＋１ずつカウントアップする（ステップＳ２４´）。
【００６５】
そして、カウント数が、セルフランプ２５の表示による露出開始を表示するために設定したセルフランプ点灯開始パルス（Ｘ）に達したときに（ステップ２５´）、セルランプ２５を消灯する（ステップ２６´）。
【００６６】
一方、セルフランプ２５を消灯する前で前記カウント数がセルランプ２５の点灯用パルス（Ｘ）に達しないときにはカウントを継続する（ステップＳ２９´、２３´、２４´）。
【００６７】
さらに撮影レンズ２７の駆動が継続されて、レンズ待機位置に達したときに（ステップ２７´）、ズームレンズ駆動回路５でズームモータ５ａを停止させる（ステップ２８´）。
【００６８】
なおこの実施形態では、セルフランプ２５による露出開始表示が露出に影響を与えることはないような明るさに設定しておく。
【００６９】
なお、実施形態において、前記露出表示終了検出手段は、撮影終了時にシャッターが切れたことを露出終了時点として検出する構成に構築してもよい。また前記露出開始表示ランプは、シャッターが切れることを表示するセルフランプ２５で兼用することが可能であるが、これに限定されるものではなく、露出開始用の表示ランプを専用のランプとして設けてもよい。
【００７０】
【発明の効果】
以上説明したように本発明によれば、レンズの合焦開始時点から露出開始用の表示ランプが点灯するため、撮影者が意図した露出との間にズレが生じるのを防止すると共に、意図したポーズでの写真撮影を行うことが可能なカメラを得ることができる。
【図面の簡単な説明】
【図１】本発明の実施形態に係るカメラを示す回路ブロック図である。
【図２】（ａ）は図１に示すカメラのカメラボデイを示す正面図、（ｂ）は図１に示すカメラのカメラボデイを示す平面図、（ｃ）は図１に示すカメラのカメラボデイを示す背面図である。
【図３】レンズ待機位置とＡＦ基準コードとを検出するズームエンコーダを示す図である。
【図４】レンズドライブ処理を示す図である。
【図５】レンズリターン処理を示す図である。
【図６】撮影処理を示すフローチャートである。
【図７】露出開始表示処理を示すフローチャートである。
【図８】他のレンズリターン処理を示す図である。
【図９】他のレンズリターン処理を示すフローチャートである。
【符号の説明】
１  ＣＰＵ
５  ズームレンズ駆動回路
５ａ  ズームモータ
６  パルス発生回路
２５  セルフランプ
【図１】
0004428882.tif 000002
【図２】
0004428882.tif 000003
【図３】
0004428882.tif 000004
【図４】
0004428882.tif 000005
【図５】
0004428882.tif 000006
【図６】
0004428882.tif 000007
【図７】
0004428882.tif 000008
【図８】
0004428882.tif 000009
【図９】
0004428882.tif 000010